(57)【要約】      （修正有）【課題】採光用窓のデザイン性を高めた斬新なドアの提供。【解決手段】外周部に上枠１３と下枠１４と左右の縦枠１１ａ、１１ｂとからなる枠と、表裏のドアパネル１ａ，１ｂと、透光性パネル４ａ，４ｂを縦横桟２ａ，２ｂ，２ｃ，２ｄ，３ａ，３ｂ，３ｃ，３ｄで支持したガラスユニット１６ａ，１６ｂとを備え、表裏のドアパネル１ａ，１ｂには、透光性パネル４ａ，４ｂが配置された位置に、表裏略同一位置で且つ表裏略同一形状の採光用小窓５が複数形成してある。【選択図】図１
2010216221.tif 000002
【特許請求の範囲】
【請求項１】
表裏のドアパネルと、両ドアパネル間に位置する透光性パネルとを備え、表裏のドアパネルには、透光性パネルが配置された位置に、表裏略同一位置で且つ表裏略同一形状の採光用小窓が複数形成してあることを特徴とするドア。
【請求項２】
複数の採光用小窓が集まって一つの模様を構成していることを特徴とする請求項１記載のドア。
【請求項３】
表裏のドアパネルと透光性パネルとの間に所定の間隔を有し、採光用小窓には透光性パネルに向けて延びる内周縁部を有することを特徴とする請求項１又は２記載のドア。
【請求項４】
表裏のドアパネルと透光性パネルとの間に所定の間隔を有し、採光用小窓にキャップが嵌め込んであり、キャップの先端部が透光性パネルに当接又は近接していることを特徴とする請求項１，２又は３記載のドア。
【請求項５】
表裏のドアパネルと透光性パネルとの間に所定の間隔を有し、表裏のドアパネルと透光性パネルとの間の間隔にスペーサーを配置したことを特徴とする請求項１，２，３又は４記載のドア。
【請求項６】
透光性パネルは、縦横桟で区画された一定の範囲で縦横桟に支持してあり、透光性パネルの下側を支持する横桟に溜まる水をドアの側部に配置された縦枠に流す樋部を有し、採光用小窓より浸入した雨水が樋部と縦枠を通じて排水されるようにしたことを特徴とする請求項１，２，３，４又は５記載のドア。
【請求項７】
透光性パネルは、縦横桟で区画された一定の範囲で縦横桟に支持してあり、横桟は、少なくとも一方の端部が縦桟から突出するものであり、ドアの左右両側に配置された縦枠間に横桟を架設してあることを特徴とする請求項１，２，３，４，５又は６記載のドア。
【発明の詳細な説明】
【技術分野】
【０００１】
本発明は、玄関等に用いられるドアに関する。
【背景技術】
【０００２】
玄関ドアなどのドアとして、四周枠組みした枠体の表裏に鋼板等を使用したパネルを貼り付けて構成したものが知られている（例えば、特許文献１参照。）。かかるドアにおいては、ドアの一部に採光用窓を設けることが一般的に行われており、採光用窓は表裏のパネルに開口部を形成し、ドア内部の開口部と対向する位置に、ガラス等の透光性パネルを縦横桟で四周枠組みしたパネルユニットを設置して形成している。パネルの開口部と透光性パネルとの隙間には、樹脂製のビード等が開口部の縁に沿って設置され、開口部からの雨水の浸入を防止している。またパネルユニットは、ドア内部の左右縦枠間に架設した横材に支持している。
従来、採光用窓の形状は四角形や、せいぜい円形でしかなく、且つ一つのパネルユニットに対して開口部が一つしかないため、何ら特別な印象を与えるものではなかった。
【先行技術文献】
【特許文献】
【０００３】
【特許文献１】特開２００８−１４４５０２号公報
【発明の概要】
【発明が解決しようとする課題】
【０００４】
本発明は以上に述べた実情に鑑み、採光用窓のデザイン性を高めた斬新なドアの提供を目的とする。
【課題を解決するための手段】
【０００５】
上記の課題を達成するために請求項１記載の発明によるドアは、表裏のドアパネルと、両ドアパネル間に位置する透光性パネルとを備え、表裏のドアパネルには、透光性パネルが配置された位置に、表裏略同一位置で且つ表裏略同一形状の採光用小窓が複数形成してあることを特徴とする。
【０００６】
請求項２記載の発明によるドアは、請求項１記載の発明の構成に加え、複数の採光用小窓が集まって一つの模様を構成していることを特徴とする。
【０００７】
請求項３記載の発明によるドアは、請求項１又は２記載の発明の構成に加え、表裏のドアパネルと透光性パネルとの間に所定の間隔を有し、採光用小窓には透光性パネルに向けて延びる内周縁部を有することを特徴とする。
【０００８】
請求項４記載の発明によるドアは、請求項１，２又は３記載の発明の構成に加え、表裏のドアパネルと透光性パネルとの間に所定の間隔を有し、採光用小窓にキャップが嵌め込んであり、キャップの先端部が透光性パネルに当接又は近接していることを特徴とする。
【０００９】
請求項５記載の発明によるドアは、請求項１，２，３又は４記載の発明の構成に加え、表裏のドアパネルと透光性パネルとの間に所定の間隔を有し、表裏のドアパネルと透光性パネルとの間の間隔にスペーサーを配置したことを特徴とする。
【００１０】
請求項６記載の発明によるドアは、請求項１，２，３，４又は５記載の発明の構成に加え、透光性パネルは、縦横桟で区画された一定の範囲で縦横桟に支持してあり、透光性パネルの下側を支持する横桟に溜まる水をドアの側部に配置された縦枠に流す樋部を有し、採光用小窓より浸入した雨水が樋部と縦枠を通じて排水されるようにしたことを特徴とする。
【００１１】
請求項７記載の発明によるドアは、請求項１，２，３，４，５又は６記載の発明の構成に加え、透光性パネルは、縦横桟で区画された一定の範囲で縦横桟に支持してあり、横桟は、少なくとも一方の端部が縦桟から突出するものであり、ドアの左右両側に配置された縦枠間に横桟を架設してあることを特徴とする。
【発明の効果】
【００１２】
請求項１記載の発明によるドアは、表裏のドアパネルの透光性パネルが配置された位置に、表裏略同一位置で且つ表裏略同一形状の採光用小窓を複数形成したので、採光用小窓を適宜形状・配置で自由に設けることができ、デザイン的に強くアピールするものとなる。本発明のドアによれば、複数の採光用小窓より木漏れ日のような細分化されたやさしい光を屋内に取り込むことができると共に、床や壁に採光用小窓が投影されるので、居心地が良く且つ趣きのある屋内空間を演出でき、また夜間には採光用小窓が屋内の光が漏れることで発光し、ライトアップ効果が得られる。
【００１３】
請求項２記載の発明によるドアは、複数の採光用小窓が集まって一つの模様を構成することにより、より一層デザイン性を高められる。
【００１４】
請求項３記載の発明によるドアは、採光用小窓に透光性パネルに向けて延びる内周縁部を有しているので、採光用小窓に指を入れてケガをしたり、採光用小窓の端縁が錆びたりするのを防止できる。
【００１５】
請求項４記載の発明によるドアは、採光用小窓にキャップが嵌め込んであり、キャップの先端部が透光性パネルに当接又は近接しているので、採光用小窓に指を入れてケガをしたり、採光用小窓の端縁が錆びたりするのを防止する効果をより一層高められる。さらに、表裏のドアパネルの採光用小窓の間を光を漏らさずに通過させ、採光用小窓の形状を室内の壁や床等にそのまま投影できるようにする効果がある。また、採光用小窓からの雨水の浸入を抑えることができる。
【００１６】
請求項５記載の発明によるドアは、表裏のドアパネルと透光性パネルとの間の間隔にスペーサーを配置したことにより、ドアパネルのへこみを防止できる。
【００１７】
請求項６記載の発明によるドアは、透光性パネルが縦横桟で区画された一定の範囲で縦横桟に支持してあり、透光性パネルの下側を支持する横桟に溜まる水をドアの側部に配置された縦枠に流す樋部を有し、採光用小窓より浸入した雨水が樋部と縦枠を通じて排水されるようにしたので、採光用小窓から雨水が浸入しても、樋部と縦枠を通じて速やかに排水できる。
【００１８】
請求項７記載の発明によるドアは、透光性パネルが縦横桟で区画された一定の範囲で縦横桟に支持してあり、横桟を少なくとも一方の端部が縦桟から突出するものとし、ドアの左右両側に配置された縦枠間に横桟を架設したことで、透光性パネルを支持するための部材を別途設けることなく、横桟で透光性パネルを直接支持できるため、ドアの組立てが容易になると共に、コストを削減できる。また、ドアノブや錠等の部品が取付けられている位置を避けて縦横桟を配置し、透光性パネルをドアの任意の位置に配置できる。
【図面の簡単な説明】
【００１９】
【図１】第１実施形態に係る玄関ドアの、表側のドアパネルを貼り付ける前の状態の正面図である。
【図２】本発明の第１実施形態に係る玄関ドアの正面図である。
【図３】（ａ）は図２のＡ−Ａ断面図、（ｂ）は図２のＢ−Ｂ断面図である。
【図４】（ａ）は図２のＣ−Ｃ断面図、（ｂ）は図２のＤ−Ｄ断面図である。
【図５】上側のガラスユニットを分解した状態で示す正面図である。
【図６】（ａ）は上側のガラスユニットの下側の横桟の平面図、（ｂ）は同横桟の正面図、（ｃ）は（ｂ）のＸ方向矢視図、（ｄ）は（ｂ）のＡ−Ａ断面図である。
【図７】（ａ）は採光用小窓及びキャップを示す斜視図であり、（ｂ）はキャップの取付状態を示す縦断面図である。
【図８】第１実施形態の玄関ドアの変形例を示す正面図である。
【図９】本発明の第２実施形態に係る玄関ドアの正面図である。
【図１０】第２実施形態に係る玄関ドアの、表側のドアパネルを貼り付ける前の状態の正面図である。
【図１１】図９のＡ−Ａ断面図である。
【図１２】図９のＢ−Ｂ断面図である。
【発明を実施するための形態】
【００２０】
以下、本発明の実施の形態を図面に基づいて説明する。図１〜４は、本発明のドアの第１実施形態に係る玄関ドアを示している。この玄関ドアは、玄関の開口部に固定したドア枠（図示省略）に蝶番１２にて開閉自在に取付けられるものであり、図１に示すように、外周部に上枠１３と下枠１４と左右の縦枠１１ａ，１１ｂとからなる枠を有し、ドア内部の左上の領域と右下の領域には、ガラスパネル４ａ，４ｂを縦横桟２ａ，２ｂ，２ｃ，２ｄ，３ａ，３ｂ，３ｃ，３ｄで支持したガラスユニット１６ａ，１６ｂが設けてあり、ドア内部の他の領域には断熱パネル１７ａ，１７ｂが設けてあり、ドアの室外側面と室内側面には金属の薄い板で形成したドアパネル１ａ，１ｂがそれぞれ貼り付けてある。図２に示すように、ドアの戸先側には、ハンドル１８と施錠装置１９ａ，１９ｂが設けてある。室外側面の上方位置には、リース等を掛けるためのフック２０が設けてある。
【００２１】
室外側と室内側のドアパネル１ａ，１ｂは、ドア内部にガラスユニット１６ａ，１６ｂを有する位置に対応して、図１，２に示すように、左上部分と右下部分にリーフ形状の採光用小窓５がそれぞれ複数設けてある。採光用小窓５は、大小２種類の大きさのものがあって、それぞれ向きを異ならせて配置してあり、複数の採光用小窓５，５，…が集まって落ち葉が流れるような模様６ａを構成している。採光用小窓５は、図３，４に示すように、室外側のドアパネル１ａと室内側のドアパネル１ｂとで同一形状で且つ同一位置に配置してある。ドアパネル１ａ，１ｂとガラスパネル４ａ，４ｂとの間には、１０ｍｍ程度の間隔Ｓを有している。ドアパネル１ａ，１ｂの外周縁部には、縦横枠１３，１４，１１ａ，１１ｂの見込み面に沿って折り込まれる折込部２１を有する。
【００２２】
各採光用小窓５は、図７（ｂ）に示すように、曲げ加工（絞り加工）によりガラスパネル４ａ，４ｂに向けて延びる内周縁部７が形成され、さらにその内側に樹脂で形成したリング状のキャップ８が嵌め込んである。キャップ８は、内周面８ａがドア外側に向けて若干末広がり状となるようにテーパーが付けてあり、外周面には抜け止め用の突起８ｂが形成してある。キャップ８の先端面８ｃはガラスパネル４ａ，４ｂに当接している。上記の構成により、採光用小窓５に指を入れてケガをしたり、採光用小窓５の端縁が錆びたりするのを防止でき、さらには採光用小窓５からの雨水の浸入が抑えられている。また、このように採光用小窓５にキャップ８を嵌め込むことで、表裏のドアパネル１ａ，１ｂの採光用小窓５の間を光を漏らさずに通過させ、採光用小窓５の形状を室内の壁や床等にそのまま投影できるようにする効果がある。なおキャップ８は、必ずしも先端面８ｃがガラスパネル４ａ，４ｂにぴったり当接していなくてもよく、先端面８ｃが部分的にガラスパネル４ａ，４ｂに当接するものや、先端面８ｃとガラスパネル４ａ，４ｂとの間に若干隙間があってもよい。
【００２３】
ドアパネル１ａ，１ｂとガラスパネル４ａ，４ｂとの間の間隔Ｓには、図１，３，４に示すように、ゴム等で形成した円柱状のスペーサー９が、採光用小窓５の位置を避けるように分散して配置してあり、これらのスペーサー９によりドアパネル１ａ，１ｂのへこみを防止している。さらに下側のガラスユニット１６ｂの左上の領域には、ドアパネル１ａ，１ｂとガラスパネル４ｂとの隙間Ｓに断熱パネル１７ｃを設置している。スペーサー９と断熱パネル１７ｃは、ガラスユニット１６ａ，１６ｂを組立てた後、ガラスパネル４ａ，４ｂの室外側面と室内側面に接着して取り付けられる。
【００２４】
上側のガラスユニット１６ａは、図１に示すように、上下の横桟２ａ，２ｂと左右の縦桟３ａ，３ｂとで区画された枠内にガラスパネル（複層ガラス）４ａを支持して構成されている。横桟２ａ，２ｂと縦桟３ａ，３ｂは、図３，４に示すように、略Ｈ形断面のアルミニウム合金の押出形材と、その室内側に嵌め込んだ樹脂製の断熱形材２２とからなり、この両者を合わせた見込み寸法が縦横枠１３，１４，１１ａ，１１ｂと同一となっている。縦桟３ａ，３ｂには、タッピングホール２３を有している。横桟２ａ，２ｂと縦桟３ａ，３ｂは、内周側に開口した溝２４内の室外側と室内側にグレイジングチャンネル２５を係止する突条２６を有し、この突条２６に係止してグレイジングチャンネル２５が取付けられ、グレイジングチャンネル２５を介してガラスパネル４ａの周縁部を保持している。
【００２５】
ガラスユニット１６ａの組立ては、図１，５，６に示すように、上下横桟２ａ，２ｂの見込み面２７より内周側を切除して切り欠き部２８を形成し、その切り欠き部２８にシール材２９を挟んで縦桟３ａ，３ｂの端部を挿入し、縦桟３ａ，３ｂの端面を横桟２ａ，２ｂの見込み面２７に突き当て、横桟２ａ，２ｂを貫通して縦桟３ａ，３ｂのタッピングホールにビス３０をねじ込んで組立てている。下側の横桟２ｂは、左右の縦桟３ａ，３ｂよりも側方に突き出している。
左右の縦枠１１ａ，１１ｂは、図４に示すように、内周側が開口した略コ字状断面の部材となっており、図１に示すように、縦枠１１ａ，１１ｂの室内外の見付面の内周側縁部を一部切除して切り欠き部３１ａ，３１ｂを形成し、その切り欠き部３１ａ，３１ｂにガラスユニット１６ａの下側の横桟２ｂの両端部を嵌合することで、ガラスユニット１６ａがドア内で固定されている。そのため、火災時に断熱パネル１７ｂが溶融したとしてもガラスユニット１６ａが落下することがなく、また、ガラスユニット１６ａと断熱パネル１７ａ，１７ｂとの間に隙間があったとしても、輸送時等にガラスユニット１６ａが移動することがない。
なお上枠１３と下枠１４も、縦枠１１ａ，１１ｂと同様に内周側が開口した略コ字状断面になっている。
【００２６】
下側の横桟２ｂに取付けたグレイジングチャンネル２５には、端部に水抜き用の切り欠き（図示省略）が形成してあり、同横桟２ｂには図６（ａ）に示すように、右側の切り欠き部２８付近の見込み面２７に水抜き孔３２が形成してあり、水抜き孔３２の下方位置から右側の縦枠１１ｂにかけて、樹脂形材を用いた樋部材１０がやや下り勾配で掛け渡してある（図１参照）。採光用小窓５から浸入した雨水は、グレイジングチャンネル２５の切り欠きから横桟２ｂの見込み面２７上に落ち、水抜き孔３２から樋部材１０を通り縦枠１１ｂ内へと導かれ、縦枠１１ｂ内を通じてドアの吊元側下部に設けた水抜き孔３４（図４参照）よりドア外部に排水される。
なお、横桟２ｂの下方に樋部材１０を別途設けることなく、雨水が横桟２ｂの内部を通って縦枠１１ｂ内に導かれるようにすることもできる。
【００２７】
下側のガラスユニット１６ｂは、図１に示すように、上下の横桟２ｃ，２ｄと左右の縦桟３ｃ，３ｄとで四周枠組みし、その枠内にグレイジングチャンネル２５を介してガラスパネル４ｂを取付けている。下側のガラスユニット１６ｂは、上側のガラスユニット１６ａと縦横桟の組み方が逆になっている。すなわち横桟２ｃ，２ｄは、図３，４に示すように、上側のガラスユニット１６ａの縦桟３ａ，３ｂと同一断面形状のもので、縦桟３ｃ，３ｄは上側のガラスユニット１６ａの横桟２ａ，２ｂと同一断面のものであり、図１に示すように、縦桟３ｃ，３ｄの上下端部に切り欠き部２８を形成し、切り欠き部２８に横桟２ｃ，２ｄの端面を突き当てている。下側のガラスユニット１６ｂは、下側の横桟２ｄを下枠１４上に載置し、右側の縦桟３ｄを右側の縦枠１１ｂに当接して配置されている。下側の横桟２ｄには、右側の端部の見込み面２７に水抜き孔が形成してあり、採光用小窓５から浸入した雨水は、水抜き孔から下枠１４内に落ち、吊元側下部に形成した水抜き孔３４からドア外部に排水される。
【００２８】
次に、このドアの組み立て手順を説明する。室内側のドアパネル１ｂの裏面に接着剤を塗布し、その上に上枠１３、下枠１４、左右の縦枠１１ａ，１１ｂ、組立てたガラスユニット１６ａ，１６ｂ、断熱パネル１７ａ，１７ｂ，１７ｃ等、ドア内の部品を所定の位置に配置する（図１の状態）。その後、室外側のドアパネル１ａの裏面に接着剤を塗布し、その上に貼り合わせる。その後、全体をプレス機でプレスする。その後、ハンドル１８、錠装置１９ａ，１９ｂ等の部品を取付ける。
【００２９】
図８は、第１実施形態の玄関ドアの変形例であり、ドア内部にガラスユニット１６ａ，１６ｂを上述のものと同様に配置し、採光用小窓５の設け方を変更したものである。この例では、リーフ形状の採光用小窓５を４つずつ一点から放射状に配置して、花の模様６ｂを構成している。
【００３０】
図９〜１２は、本発明の第２実施形態に係る玄関ドアを示している。このドアは、図９に示すように、ドア中央の上方寄りの位置に、大小のリーフ形状の採光用小窓５が角度を少しずつ変化させながら円を描くように複数並べて配置してあり、これら複数の採光用小窓５，５，…はキャンドルの灯をイメージした模様６ｃになっている。室外側のドアパネル１ａの表面には、化粧額縁３３が取付けてある。
【００３１】
ドア内部には、図１０に示すように、採光用小窓５，５，…が配置された領域に対応したガラスユニット１６ｃが設けてある。ガラスユニット１６ｃは、上下の横枠２ｅ，２ｆと左右の縦枠３ｅ，３ｆとを枠組みした枠内にガラスパネル４ｃを嵌め込んだものであり、上側の横桟２ｅは左側の端部が縦桟３ｅよりも突出し、下側の横桟２ｆは右側の端部が縦桟３ｆよりも突出しており、上側の横枠２ｅの左側端部と下側の横枠２ｆの右側端部を、左右の縦枠１１ａ，１１ｂに段違い状に形成した切り欠き部３１ａ，３１ｂに嵌合し、ガラスユニット１６ｃをドア内で動かないように固定している。このように、上下の横桟２ｅ，２ｆの端部を左右互い違いに縦桟３ｅ，３ｆから突き出して縦枠１１ａ，１１ｂに架設することで、余計な桟をドア内部に架設することなく、ハンドル１８や錠装置１９ａ，１９ｂが取り付く部分を避けて、ドア内の中間高さ位置にガラスユニット１６ｃを設置できる。
【００３２】
以上に述べた玄関ドアは、リーフ形状の採光用小窓５が複数設けてあり、これら複数の採光用小窓５が集まって植物等をモチーフにした模様６ａ，６ｂ，６ｃを成しているので、さながら絵画のように見る人に強くアピールするものとなる。さらに、複数の採光用小窓５，５，…より木漏れ日のような細分化されたやさしい光を屋内に取り込むことができると共に、床や壁に採光用小窓５，５，…が投影されることで、居心地が良く且つ趣きのある屋内空間を演出できる。また夜間には、採光用小窓５，５，…から屋内の光が漏れることで、ライトアップ効果が得られる。
採光用小窓５は、自由な形状、配置で設けることができ、それに合わせてドア内部にガラスユニット１６ａ，１６ｂ，１６ｃを大きさを変えたり向きを変えたりして適宜配置することができ、デザインの変更が容易である。ガラスユニット１６ａ，１６ｃは、横桟２ｂ，２ｅ，２ｆの端部を縦桟３ａ，３ｂ，３ｅ，３ｆより突出させ、その端部を縦枠１１ａ，１１ｂに形成した切り欠き部３１ａ，３１ｂに嵌合することで、ガラスユニット１６ａ，１６ｃを簡易に、しかも確実にドア内に固定することができる。ガラスユニット１６ａ，１６ｃを支持する部材をドア内に別途架設する必要がないため、材料費が抑えられると共に、ドア内部の構造がシンプルになってドアの組立てが容易に行える。
各採光用小窓５にはキャップ８が嵌め込んであるので、採光用小窓５に指が入らず、且つ雨水の浸入を抑えることができる。また当該キャップ８を有することで、表裏のドアパネル１ａ，１ｂの採光用小窓５の間を光を漏らさずに通過させ、採光用小窓５の形状を室内の壁や床等にそのまま投影できる。
たとえ採光用小窓５から雨水が浸入しても、樋部材１０や縦枠１１ｂを通じて外部に速やかに排水できる。また、ドアパネル１ａ，１ｂとガラスパネル４ａ，４ｂ，４ｃとの間の間隔Ｓにスペーサー９が分散して配置してあるため、ドアパネル１ａ，１ｂのへこみを防止できる。
【００３３】
本発明は、以上に述べた実施形態に限定されない。採光用小窓の形状は、リーフ形状に限らず、円形、矩形、ひし形、ハート形など、自由な形状とすることができる。複数の採光用小窓により構成される模様は、植物等をモチーフにしたものに限らず、幾何学的な模様であってもよい。本発明のドアは、玄関や勝手口等の屋外に面したものに限らず、屋内に取付けられるものであってもよい。
【符号の説明】
【００３４】
１ａ，１ｂ  ドアパネル
２ａ，２ｂ，２ｃ，２ｄ，２ｅ，２ｆ  横桟
３ａ，３ｂ，３ｃ，３ｄ，３ｅ，３ｆ  縦桟
４ａ，４ｂ，４ｃ  ガラスパネル（透光性パネル）
５  採光用小窓
６ａ，６ｂ，６ｃ  模様
７  採光用小窓の内周縁部
８  キャップ
１０  樋部材（樋部）
１１ａ，１１ｂ  縦枠
Ｓ  ドアパネルと透光性パネルとの間の間隔
【図１】
2010216221.tif 000003
【図２】
2010216221.tif 000004
【図３】
2010216221.tif 000005
【図４】
2010216221.tif 000006
【図５】
2010216221.tif 000007
【図６】
2010216221.tif 000008
【図７】
2010216221.tif 000009
【図８】
2010216221.tif 000010
【図９】
2010216221.tif 000011
【図１０】
2010216221.tif 000012
【図１１】
2010216221.tif 000013
【図１２】
2010216221.tif 000014